(57)【要約】【課題】光源の数を減らしても光源の光が全体的に均一に放射され、表示装置の全体的な輝度均一性を確保することができるバックライトアセンブリ及びこれを含む表示装置を提供する。【解決手段】本発明のバックライトアセンブリは、光を放出する複数の光源と、光が入射する入光面、入光面の対向面であって光が出射する出光面、及び出光面上に位置する互いに異なる形状の第１レンズパターングループと第２レンズパターングループとを含む拡散板とを備え、第１レンズパターン及び第２レンズパターンは曲線を形成する曲線部と曲線部の各端部から延長された直線部とを含む。【選択図】図２
2010135328.tif 000002
【特許請求の範囲】
【請求項１】
光を放出する複数の光源と、
前記光が入射する入光面、該入光面の対向面であって前記光が出射する出光面、及び該出光面上に位置する互いに異なる形状の第１レンズパターングループと第２レンズパターングループとを含む拡散板と、を備え、
前記第１レンズパターン及び前記第２レンズパターンは、曲線を形成する曲線部と該曲線部の各端部から延長された直線部とを含むことを特徴とするバックライトアセンブリ。
【請求項２】
前記第１レンズパターングループ及び前記第２レンズパターングループは、前記拡散板の前記出光面上に交互に配置され、
前記第１レンズパターングループ及び第２レンズパターングループが位置する区間の幅は、実質的に互いに同一であり、
前記第１レンズパターングループが位置する区間の幅の中心は、前記光源に重なることを特徴とする請求項１に記載のバックライトアセンブリ。
【請求項３】
前記第１レンズパターンは、曲線を形成する第１曲線部、及び該第１曲線部の両下段から各々延長された第１直線部を含み、
前記第２レンズパターンは、曲線を形成する第２曲線部、及び該第２曲線部の両下段から各々延長された第２直線部を含み、
前記第１及び２曲線部は、互いに異なる楕円の一端部から成ることを特徴とする請求項１に記載のバックライトアセンブリ。
【請求項４】
前記第１曲線部に内接して前記第１直線部と二つの頂点が合う仮想の二等辺三角形の下角が５０度〜５２度であり、
前記第２曲線部に内接して前記第２直線部と二つの頂点が合う仮想の二等辺三角形の下角が４２度〜４９度であることを特徴とする請求項３に記載のバックライトアセンブリ。
【請求項５】
前記第１曲線部の高さ（Ｈ１）と前記第１直線部の高さ（Ｈ２）は、０．１２×Ｈ１＜Ｈ２＜１．２５×Ｈ１の関係であり、前記第１曲線部の高さ（Ｈ１）及び前記第１直線部の高さ（Ｈ２）方向は、前記拡散板の前記入光面に対して実質的に垂直であることを特徴とする請求項３に記載のバックライトアセンブリ。
【請求項６】
前記第２曲線部の高さ（Ｈ３）と前記第２直線部の高さ（Ｈ４）は、０．９×Ｈ３＜Ｈ４＜１．１×Ｈ３の関係であり、前記第２曲線部の高さ（Ｈ３）及び前記第２直線部の高さ（Ｈ４）方向は、前記拡散板の前記入光面に対して実質的に垂直であることを特徴とする請求項３に記載のバックライトアセンブリ。
【請求項７】
前記第１曲線部を構成する楕円の短軸の長さに対する長軸の長さの比は、２．４〜３．５であることを特徴とする請求項３に記載のバックライトアセンブリ。
【請求項８】
前記第１曲線部を構成する第１楕円の短軸の長さに対する長軸の長さの比と、前記第２曲線部を構成する第２楕円の短軸の長さに対する長軸の長さの比の差は、０．０１〜０．３０であることを特徴とする請求項７に記載のバックライトアセンブリ。
【請求項９】
前記第２直線部の傾きに対する前記第１直線部の傾きの比は、１．０〜１．５であることを特徴とする請求項１に記載のバックライトアセンブリ。
【請求項１０】
前記光源と前記拡散板との間の距離がＤであり、前記光源間のピッチがＰである場合、０．３＜Ｄ／（Ｐ／２）＜０．５であり、前記距離（Ｄ）は、前記拡散板の前記入光面に対して実質的に垂直であり、前記ピッチ（Ｐ）は、前記拡散板の長さ方向に対して実質的に直角であることを特徴とする請求項１に記載のバックライトアセンブリ。
【請求項１１】
前記拡散板に重ねられ、上面にプリズムパターンを含む光学シートを更に備えることを特徴とする請求項１に記載のバックライトアセンブリ。
【請求項１２】
光を放出する複数の光源と、
前記光が入射する入光面、該入光面の対向面であって前記光が出射する出光面、及び該出光面に順次に反復して形成された第１レンズパターングループ〜第３レンズパターングループを含む拡散板と、を備え、
前記第１レンズパターングループは、前記光源に重なって配置され、
前記第２レンズパターン及び第３レンズパターンは、互いに異なる形状を有し、
前記第２レンズパターン及び第３レンズパターンは、前記第２レンズパターングループ及び第３レンズパターングループの境界部を中心に対称である形状を有することを特徴とするバックライトアセンブリ。
【請求項１３】
前記第２レンズパターングループ及び第３レンズパターングループが位置する各区間の幅は、前記第１レンズパターングループが位置する区間の幅より小さいことを特徴とする請求項１２に記載のバックライトアセンブリ。
【請求項１４】
前記第２レンズパターンは、隣接した前記第１レンズパターングループに向かって傾いたプリズムパターンからなり、
前記第３レンズパターンは、隣接した前記第１レンズパターングループに向かって傾いたプリズムパターンからなることを特徴とする請求項１２に記載のバックライトアセンブリ。
【請求項１５】
前記第１レンズパターンは、楕円の一端部からなることを特徴とする請求項１４に記載のバックライトアセンブリ。
【請求項１６】
前記拡散板に重ねられ、上面にプリズムパターンを含む光学シートを更に備えることを特徴とする請求項１２に記載のバックライトアセンブリ。
【請求項１７】
光を放出する複数の光源と、
前記光が入射する入光面、該入光面の対向面であって前記光が出射する出光面、及び該出光面に形成された曲線部からなるレンズパターンを含む拡散板と、を備え、
前記曲線部の上端部に光拡散パターンが形成されることを特徴とするバックライトアセンブリ。
【請求項１８】
前記レンズパターンの断面は円の一端部であり、
前記光拡散パターンは、凹凸部からなることを特徴とする請求項１７に記載のバックライトアセンブリ。
【請求項１９】
前記拡散板に重ねられ、上面にプリズムパターンを含む光学シートを更に備えることを特徴とする請求項１７に記載のバックライトアセンブリ。
【請求項２０】
光を放出する複数の光源と、
前記光の提供を受けて映像情報を表示する表示パネルと、
前記光が入射する入光面、該入光面の対向面であって前記光が出射する出光面、及び該出光面上に位置する互いに異なる形状の第１レンズパターングループと第２レンズパターングループとを含む拡散板と、を備え、
前記第１レンズパターン及び前記第２レンズパターンは、曲線を形成する曲線部と該曲線部の各端部から延長された直線部とを含むことを特徴とする表示装置。
【発明の詳細な説明】
【技術分野】
【０００１】
本発明は、バックライトアセンブリ及びこれを含む表示装置に関し、より詳細には、光を効果的に拡散させるレンズパターンを含む拡散板を具備するバックライトアセンブリ及びこれを含む表示装置に関するものである。
【背景技術】
【０００２】
液晶表示装置（Ｌｉｑｕｉｄ  Ｃｒｙｓｔａｌ  Ｄｉｓｐｌａｙ：ＬＣＤ）は、現在最も広く使われるフラットパネル表示装置（Ｆｌａｔ  Ｐａｎｅｌ  Ｄｉｓｐｌａｙ：ＦＰＤ）のうちの一つであって、電極が形成されている２枚の基板とその間に挿入されている液晶層からなり、電極に電圧を印加して液晶層の液晶分子を再配列させることによって透過する光の量を調節して映像を表示する装置である。
【０００３】
このような表示装置は、それ自体が非発光素子になっているため、映像を表示するためには発光素子である光源を含むバックライトアセンブリを含まなければならない。バックライトアセンブリは、表示パネルの後面で光を照射し、表示パネル全体に略均一な面光源として作用する。このようなバックライトアセンブリは、光を放出する光源の位置によって直下型とエッジ型に区分される。直下型は、光源を表示パネルの真下に配置する方式であり、エッジ型は光源を側面に配置し、導光板を利用して表示パネル全体に光を伝達する方式である。
【先行技術文献】
【特許文献】
【０００４】
【特許文献１】韓国特許公開２００８−００４６４８６号明細書
【発明の概要】
【発明が解決しようとする課題】
【０００５】
従来の液晶表示装置に使用される直下型バックライトアセンブリは、拡散板の下部に光源が位置することで輝線の発生可能性があり、最近は、光源の数を減らす傾向にあることから、輝線及び暗線の発生の可能性が更に高まっている。また、表示装置の構造が益々スリム（ｓｌｉｍ）になり、光源を均一に制御できるように構造を形成する必要がある。
【０００６】
本発明は、上記従来の問題点に鑑みてなされたものであり、本発明の目的は、液晶表示装置の厚さを減らすと共に必要な低消費電力を実現するために光源の数を減らしても光源の光が全体的に均一に放射され、液晶表示装置の全体的な輝度均一性を確保できる優秀な表示品質を有するバックライトアセンブリを提供することにある。
【０００７】
本発明の他の目的は、液晶表示装置の厚さを減らすと共に必要な低消費電力を実現するために光源の数を減らしても光源の光が全体的に均一に放射され、液晶表示装置の全体的な輝度均一性を確保できる優秀な表示品質を有するバックライトアセンブリを含む表示装置を提供することにある。
【課題を解決するための手段】
【０００８】
上記目的を達成するためになされた本発明の一特徴によるバックライトアセンブリは、光を放出する複数の光源と、前記光が入射する入光面、該入光面の対向面であって前記光が出射する出光面、及び該出光面上に位置する互いに異なる形状の第１レンズパターングループと第２レンズパターングループとを含む拡散板と、を備え、前記第１レンズパターンは、曲線を形成する第１曲線部、及び該第１曲線部の両下段から各々延長された第１直線部を含み、前記第２レンズパターンは、曲線を形成する第２曲線部、及び該第２曲線部の両下段から各々延長された第２直線部を含み得る。
【０００９】
上記目的を達成するためになされた本発明の他の特徴によるバックライトアセンブリは、光を放出する複数の光源と、前記光が入射する入光面、該入光面の対向面であって前記光が出射する出光面、及び該出光面に順次に反復して形成された第１レンズパターングループ〜第３レンズパターングループを含む拡散板と、を備え、前記第１レンズパターングループは、前記光源に重なって配置され、前記第２レンズパターン及び第３レンズパターンは、互いに異なる形状を有し、前記第２レンズパターン及び第３レンズパターンは、前記第２レンズパターングループ及び第３レンズパターングループの境界部を中心に対称の形状を有することができる。
【００１０】
上記目的を達成するためになされた本発明の更に他の特徴によるバックライトアセンブリは、光を放出する複数の光源と、前記光が入射する入光面、該入光面の対向面であって前記光が出射する出光面、及び該出光面に形成された曲線部からなるレンズパターンを含む拡散板と、を備え、前記曲線部の上端部に光拡散パターンが形成され得る。
【００１１】
上記他の目的を達成するためになされた本発明の一特徴による表示装置は、光を放出する複数の光源と、前記光の提供を受けて映像情報を表示する表示パネルと、前記光が入射する入光面、該入光面の対向面であって前記光が出射する出光面、及び該出光面上に位置する互いに異なる形状の第１レンズパターングループと第２レンズパターングループとを含む拡散板と、を備え、前記第１レンズパターンは曲線を形成する第１曲線部、及び該第１曲線部の両下段から各々延長された第１直線部を含み、前記第２レンズパターンは曲線を形成する第２曲線部、及び該第２曲線部の両下段から各々延長された第２直線部を含み得る。
【００１２】
本発明のその他の具体的な特徴は詳細な説明及び図面に含まれている。
【発明の効果】
【００１３】
本発明のバックライトアセンブリ及びこれを含む表示装置によれば、光源の数を減らしても光源の光が全体的に均一に放射されて輝線及び暗線の発生が抑制され、表示装置の全体的な輝度均一性を確保することができる。
【図面の簡単な説明】
【００１４】
【図１】本発明の一実施形態によるバックライトアセンブリを含む表示装置の分解斜視図である。
【図２】図１に示す表示装置に含まれる本発明の第１実施形態によるバックライトアセンブリの概略的な断面図である。
【図３】図２に示すＡ領域を拡大した第１レンズパターングループの断面図である。
【図４】図２に示すＢ領域を拡大した第２レンズパターングループの断面図である。
【図５】図３に示す第１レンズパターングループに入射した光の経路を示す説明図である。
【図６】図４に示す第２レンズパターングループに入射した光の経路を示す説明図である。
【図７】図１に示す表示装置に含まれる拡散板の背面斜視図である。
【図８】図２に示すＳ領域を拡大した光学シートのプリズムパターンの拡大断面図である。
【図９】図１に示す表示装置に含まれる本発明の第２実施形態によるバックライトアセンブリの概略的な断面図である。
【図１０】第２実施形態による第１レンズパターングループの断面図である。
【図１１】第２実施形態による第２レンズパターングループの断面図である。
【図１２】第２実施形態による第３レンズパターングループの断面図である。
【図１３】第２実施形態による第１レンズパターングループの入光面に入射した光の経路を示す説明図である。
【図１４】第２実施形態による第２レンズパターングループの入光面に入射した光の経路を示す説明図である。
【図１５】図１に示す表示装置に含まれる本発明の第３実施形態によるバックライトアセンブリの概略的な断面図である。
【図１６】第３実施形態による第１レンズパターングループの断面図である。
【図１７】第３実施形態による第２レンズパターングループの断面図である。
【図１８】第３実施形態による第３レンズパターングループの断面図である。
【図１９】第３実施形態による第１レンズパターングループの入光面に入射した光の経路を示す説明図である。
【図２０】第３実施形態による第２レンズパターングループの入光面に入射した光の経路を示す説明図である。
【図２１】図１に示す表示装置に含まれる本発明の第４実施形態によるバックライトアセンブリの概略的な断面図である。
【図２２】第４実施形態による拡散板の一部の斜視図である。
【図２３】第４実施形態によるレンズパターンの断面図である。
【図２４】図２３に示す第４実施形態によるレンズパターンのＤ領域を拡大した断面図である。
【図２５】第４実施形態によるレンズパターンの入光面に入射した光の経路を示す説明図である。
【図２６】図１に示す表示装置に含まれる本発明の第５実施形態によるバックライトアセンブリの概略的な断面図である。
【図２７】第５実施形態による拡散板の一部の斜視図である。
【図２８】第５実施形態によるレンズパターンの断面図である。
【図２９】第５実施形態によるレンズパターンの入光面に入射した光の経路を示す説明図である。
【発明を実施するための形態】
【００１５】
本発明の利点、特徴、及びそれらを達成する方法は、図面と共に詳細に後述する実施形態を参照すれば明確になるであろう。しかし、本発明は、以下で開示する実施形態に限定されるものではなく、異なる多様な形態で実現することが可能である。本実施形態は、単に本発明の開示を完全なものにし、本発明が属する技術分野で通常の知識を有する者に発明の範疇を完全に知らしめるために提供されるものである。図面において層及び領域のサイズ及び相対的なサイズは説明を明瞭にするため誇張することがある。
【００１６】
素子（ｅｌｅｍｅｎｔｓ）又は層が、異なる素子又は層の「上（ｏｎ）」と指称するものは、他の素子或いは層の真上だけでなく、中間に他の層又は他の素子を介在する場合をすべて含む。一つの素子が他の素子と「直接上（ｄｉｒｅｃｔｌｙ  ｏｎ）」、「真上」と指称するものは中間に他の素子又は層を介在しないものを示す。明細書全体において、同一参照符号は同一構成要素を指す。「及び／又は」は、言及されたアイテムの各々及び一つ以上のすべての組合せを含む。
【００１７】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示したように、一つの素子又は構成要素と異なる素子又は構成要素との相関関係を容易に記述するために使用され得る。空間的に相対的な用語は、図面に示した方向に加えて、使用時又は動作時における素子の互いに異なる方向を含む用語として理解しなければならない。
【００１８】
本明細書で記述する実施形態は、本発明の理想的な実施形態の概略的な断面図を参考にして説明する。従って、製造技術又は許容誤差などによって、例示図の形態は変形してもよい。従って、本発明の実施形態は、図示した特定形態に制限されるものではなく、製造工程によって生成される形態の変化も含むものである。従って、図面に例示した領域は概略的な属性を有し、図面に例示した領域の形態は素子の領域の特定形態を例示するためのものであり、発明の範疇を制限するためのものではない。
【００１９】
以下、本発明のバックライトアセンブリ及びこれを含む表示装置を実施するための形態を、図面を参照しながら詳細に説明する。
【００２０】
先ず、図１〜６を参照して本発明の第１実施形態によるバックライトアセンブリについて詳細に説明する。図１は、本発明の一実施形態によるバックライトアセンブリを含む表示装置の分解斜視図であり、図２は、図１に示す表示装置に含まれる本発明の第１実施形態によるバックライトアセンブリの概略的な断面図である。図３及び図４は、各々図２に示すＡ及びＢ領域を拡大した第１レンズパターングループ及び第２レンズパターングループの断面図である。図５は、図３に示す第１レンズパターングループに入射した光の経路を示す説明図であり、図６は、図４に示す第２レンズパターングループに入射した光の経路を示す説明図である。図７は、図１に示す表示装置に含まれる拡散板の背面斜視図であり、図８は、図２に示すＳ領域を拡大した光学シートのプリズムパターンの拡大断面図である。
【００２１】
図１を参照すると、本発明の一実施形態によるバックライトアセンブリを含む表示装置１は、表示パネルアッセンブリ２０、上部収納容器１０、光学シート５０、拡散板６０、光源７０、反射シート８０、及び下部収納容器９０を含む。
【００２２】
表示パネルアッセンブリ２０は、下部表示板２２、上部表示板２３、及び二つの表示板の間に介在する液晶層（図示せず）を含む表示パネル２１を含む。
【００２３】
表示パネル２１は、ゲートライン（図示せず）及びデータライン（図示せず）と薄膜トランジスタアレイ、画素電極などを含む下部表示板２２と、ブラックマトリックス（ｂｌａｃｋ  ｍａｔｒｉｘ）、共通電極などを含み、下部表示板２２に対向するように配置された上部表示板２３を含む。このような表示パネル２１は、光源７０から光の提供を受けて映像情報を表示する。
【００２４】
上部収納容器１０は、表示装置１の外観を形成し、内部に表示パネルアッセンブリ２０が収納される空間が形成されている。このような上部収納容器１０の中央部には表示パネル２１を外部に露出させる開放窓が形成されている。
【００２５】
上部収納容器１０は、下部収納容器９０と結合される。
【００２６】
拡散板６０は、光源７０から出た光を各方向に拡散させる役割をするものであって、光源７０の形状に沿って明るく現れる輝線が表示装置１の前面から見られないようにする。このような拡散板６０は表示パネル２１と光源７０の間に介在する。
【００２７】
図２を参照すると、本発明の第１実施形態によるバックライトアセンブリは、光学シート５０、拡散板１６０、反射シート８０を含む。図３〜図６を参照すると、拡散板１６０は、光源７０から放出された光が入射する入光面１６１、入光面１６１に対向する面であって、入射した光が出光する出光面１６２を含む。また、拡散板１６０の出光面１６２には入光面１６１から入射した光が効果的に拡散されるようにレンズパターンが形成される。レンズパターンは、拡散板１６０に入射した光が効果的に拡散されて出光するようにする。本発明の第１実施形態によるレンズパターンは次のように構成される。
【００２８】
図２〜図６を参照すると、拡散板１６０の出光面１６２には互いに異なる形状の第１レンズパターングループ１６３及び第２レンズパターングループ１６４が形成されている。第１レンズパターングループ１６３及び第２レンズパターングループ１６４は、光源（図１の７０参照）の長さ方向に延長されて光源７０と平行する方向に形成され得る。即ち、第１レンズパターングループ１６３及び第２レンズパターングループ１６４は、シリンダー型レンズを軸方向に垂直縦断した形態になり得る。
【００２９】
第１レンズパターングループ１６３及び第２レンズパターングループ１６４の各々は、拡散板１６０上に交互に配置される。このとき、第１レンズパターングループ１６３及び第２レンズパターングループ１６４は互いに同一の幅の区間で形成される。なお、第１レンズパターングループ１６３が形成された区間の幅の中心は下部に位置する光源７０に重なる。例えば、第１レンズパターングループ１６３及び第２レンズパターングループ１６４は次のように拡散板１６０上に形成され得る。複数の光源を成す各光源間のピッチをＰとすると、第１レンズパターングループ１６３が形成された区間の幅（Ｐ１）は、Ｐ／２で形成することができる。また、第２レンズパターングループ１６４が形成された区間の幅（Ｐ２）は、第１レンズパターングループが形成された区間の幅と同一であるように形成するため、第２レンズパターングループ１６４が形成された区間の幅（Ｐ２）をＰ／２で形成することができる。第１レンズパターングループ１６３と第２レンズパターングループ１６４は、Ｐ／２の幅に該当する区間で交互に形成され得る。このとき、光源７０は第１レンズパターングループが形成された区間の幅の中心に重なるように配置することができる。
【００３０】
一方、このような拡散板１６０を形成する物質は、アクリル樹脂、スチレン樹脂、メタクリル酸メチルスチレン共重合体樹脂、ポリカーボネート樹脂、及びオレフィン樹脂で構成される一群から選択される少なくとも一つ以上でありうる。より詳細には、ポリカーボネート（ＰＣ：ｐｏｌｙｃａｒｂｏｎａｔｅ）、ポリスチレン（ＰＳ：ｐｏｌｙｓｔｙｒｅｎｅ  ｒｅｓｉｎ）、ポリエチレンテレフタレート（ＰＥＴ：ｐｏｌｙｅｔｈｙｌｅｎｅｔｅｒｅｐｈｔｈａｌａｔｅ）、ポリアリレート（ＰＡＲ：ｐｏｌｙａｒｙｌａｔｅ）、ポリスルホン樹脂（ＰＳＵ：ｐｏｌｙｓｕｌｆｏｎｅ  ｒｅｓｉｎ）、ポリエーテルサルホン樹脂（ＰＥＳ：Ｐｏｌｙｅｔｈｅｒｓｕｌｆｏｎｅ  ｒｅｓｉｎ）、ポリプロピレン（ＰＰ：ｐｏｌｙｐｒｏｐｙｌｅｎｅ）、ポリアミド（ＰＡ：ｐｏｌｙａｍｉｄｅ）、ポリフェニレンサルファイド（ＰＰＳ：ｐｏｌｙ  ｐｈｅｎｙｌｅｎｅ  ｓｕｌｆｉｄｅ）、ポリイミド樹脂（ＰＩ：ｐｏｌｙ  ｉｍｉｄｅ  ｒｅｓｉｎ）、ポリエーテルエーテルケトン（ＰＥＥＫ：ｐｏｌｙ  ｅｔｈｅｒ−ｅｔｈｅｒ−ｋｅｔｏｎｅ）、ポリウレタン樹脂（ＰＵＲ：ｐｏｌｙｕｒｅｔｈａｎｅ  ｒｅｓｉｎ）、塩化ビニール樹脂（ＰＶＣ：ｐｏｌｙｂｉｎｙｌ  ｃｈｌｏｒｉｄｅ）、メチルペンテンポリマー（ＰＭＰ：ｍｅｔｙｌｐｅｎｔｅｎｅ  ｐｏｌｙｍｅｒ）、ポリメタクリル（ＰＭＭＡ：ｐｏｌｙｍｅｔｈａｃｒｙｌｉｃ）、シリコーン樹脂（ＳＩ：Ｓｉｌｉｃｏｎ  ｒｅｓｉｎ）、アクリル系樹脂、及びフッ素樹脂のうちの何れか一つを用いることができる。
【００３１】
図３及び図４を参照して第１レンズパターングループ１６３及び第２レンズパターングループ１６４を説明する。
【００３２】
先ず、図３を参照すると、第１レンズパターングループ１６３は、曲線を形成する第１曲線部１６５、及び第１曲線部１６５の両端から各々延長された第１直線部１６６を含む。
【００３３】
第１曲線部１６５は、入光面１６１を通じて入射した光の一部を反射して一部を拡散させる。第１直線部１６６は入光面１６１を通じて入射した光の一部を屈折させて光の透過方向を調節して一部を全反射する。
【００３４】
第１レンズパターングループ１６３の第１曲線部１６５と第１直線部１６６は、上述した機能を適切に実現するために次のような条件で形成することができる。
【００３５】
第１レンズパターングループ１６３の第１曲線部１６５は楕円の一端部からなる。ここで、楕円の一端部である第１曲線部１６５と内接して、第１直線部１６６と二つの頂点が合う仮想の二等辺三角形の下角（θ１）は５０〜５２°になる。また、第１曲線部１６５を成す楕円の長軸の長さがａ１、短軸の長さがｂ１だとすると、短軸の長さ（ｂ１）に対する長軸の長さ（ａ１）の比（ａ１／ｂ１）は２．４〜３．５で決定することができる。第１曲線部１６５の高さ（Ｈ１）は、第１曲線部１６５の最上端と仮想の二等辺三角形が合う隅から仮想の二等辺三角形の底辺までの距離になる。一方、第１直線部１６６の高さ（Ｈ２）は、仮想の二等辺三角形の底辺から入光面１６１と実質的に平行である、第１直線部１６６の両終端を連結した仮想の線までの距離になる。ここで、第１曲線部１６５の高さ（Ｈ１）と第１直線部１６６の高さ（Ｈ２）は、０．１２×Ｈ１＜Ｈ２＜１．２５×Ｈ１の関係式を満たす。
【００３６】
次に、図４を参照すると、第２レンズパターングループ１６４は、曲線を形成する第２曲線部１６７、及び第２曲線部１６７の両端から各々延長された第２直線部１６８を含む。
【００３７】
第２レンズパターングループ１６４の第２曲線部１６７及び第２直線部１６８の機能は、上述した第１曲線部１６５及び第１直線部１６６と同一であるため、その説明は省略する。
第２レンズパターングループ１６４の第２曲線部１６７と第２直線部１６８は、上述した機能を適切に実現するために次のような条件で形成することができる。
【００３８】
第２レンズパターングループ１６４の第２曲線部１６７は楕円の一端部からなる。ここで、楕円の一端部である第２曲線部１６７と内接し、第２直線部１６８と二つの頂点が合う仮想の二等辺三角形の下角（θ２）は、４２〜４９°になる。また、第２曲線部１６７を成す楕円の長軸の長さがａ２、短軸の長さがｂ２だとすると、短軸の長さ（ｂ２）に対する長軸の長さ（ａ２）の比（ａ２／ｂ２）は、２．４〜３．５に決定され得る。第２曲線部１６７の高さ（Ｈ３）は、第２曲線部１６７の最上端と仮想の二等辺三角形が合う隅から仮想の二等辺三角形の底辺までの距離になる。一方、第２直線部１６８の高さ（Ｈ４）は、仮想の二等辺三角形の底辺から入光面１６１と実質的に平行である、第２直線部１６８の両終端を連結した仮想の線までの距離になる。ここで、第２曲線部１６７の高さ（Ｈ３）と第２直線部１６８の高さ（Ｈ４）は、０．９×Ｈ３＜Ｈ４＜１．１×Ｈ３の関係式を満たす。
【００３９】
一方、上述した第１曲線部１６５と第２曲線部１６７が楕円の一端部を成す場合、それぞれの短軸の長さ（ｂ１、ｂ２）に対する長軸の長さ（ａ１、ａ２）の比は、２．４〜３．５に決定され得ると述べた。この場合、第１曲線部１６５の短軸の長さ（ｂ１）に対する長軸の長さ（ａ１）の比（ａ１／ｂ１）と、第２曲線部１６７の短軸の長さ（ｂ２）に対する長軸の長さ（ａ２）の比（ａ２／ｂ２）の差は、０．０１〜０．３０であることが好ましい。これによって、光源７０から比較的近距離に位置する第１曲線部１６５と、光源７０から比較的遠距離に位置する第２曲線部１６７との間の光源７０に対する相対的位置により第１及び第２曲線部１６５、１６７から生じ得る光を拡散させる機能の差異を調節することができ、拡散板１６０を通過する光の輝度均一性を調節することができる。
【００４０】
第１直線部１６６と第２直線部１６８の斜辺は直線部としての傾きを有する。このとき、第２直線部１６８の傾きに対する第１直線部１６６の傾きの比は、１．０〜１．５で形成され得る。第１レンズパターングループ１６３が形成された区間（Ｐ１）の幅の中心は光源７０に重なるため、第１レンズパターングループ１６３が形成された区間（Ｐ１）は第２レンズパターングループ１６４が形成された区間（Ｐ２）に比べて相対的に光源７０と近接している。これによって、第１レンズパターングループ１６３に入射する光は、第２レンズパターングループ１６４に入射する光に比べて垂直経路を相対的に更に多く有し得る。反面、第２レンズパターングループ１６４に入射する光は、第１レンズパターングループ１６３に入射する光に比べて斜めに入射する経路を相対的に更に多く有し得る。これによって、第１レンズパターングループ１６３が形成された区間（Ｐ１）と第２レンズパターングループ１６４が形成された区間（Ｐ２）との間には輝度の不均一が生じ得る。
【００４１】
これを防止するためには光源７０から第１レンズパターングループ１６３に実質的に垂直に入射した光の全部が第１レンズパターングループ１６３を容易に通過できないように調節することが必要である。これは光源７０から第１レンズパターングループ１６３に実質的に垂直に入射した光の一部を全反射させることによって解決することができる。
【００４２】
また、第２レンズパターングループ１６４に斜めに入射する光は、第２レンズパターングループを通過して拡散板１６０の上方の表示パネル（図１の２１参照）に集光されるように調節することが必要である。このために、第２直線部１６８を第１直線部１６６より相対的に長く形成する。即ち、第２レンズパターングループ１６４に入射する光は、第１レンズパターングループ１６３に入射する光に比べて斜めに入射する経路を相対的に更に多く有するようになるため、第２直線部１６８が第１直線部１６６に比べて相対的に長く形成されると、斜めに入射する経路を有する光を第２直線部１６８によって多く表示パネル２１に集光させることができるようになる。
【００４３】
また、上述したように、第２レンズパターングループ１６４の第２直線部１６８の傾きに対する第１レンズパターングループ１６３の第１直線部１６６の傾きの比を、上記範囲に調節して第１レンズパターン及び２レンズパターン１６３、１６４を形成し、解決することもできる。即ち、第２直線部１６８の傾きが第１直線部１６６の傾きより相対的に小さく形成されるため、斜めに入射する経路を有する光がより多く第２直線部１６８を通過することができる。これによって、第２レンズパターングループ１６４に入射する光を表示パネル２１に集光させることができるようになる。
【００４４】
図５及び図６は、第１及び第２レンズパターン１６３、１６４の入光面１６１に入射した光の経路を示す説明図である。
【００４５】
先ず、図５を参照して第１レンズパターングループ１６３の入光面１６１を通じて入射した光が第１直線部１６６で全反射するＡ−１経路と、第１直線部１６６を透過するＢ−１経路と、第１曲線部１６５を透過するＣ−１経路を例えて説明する。
【００４６】
Ａ−１経路の光は、入光面１６１に実質的に垂直に入射して第１直線部１６６に向かって進む。第１直線部１６６の一側に到達した光は全反射され、全反射した光は第１直線部１６６の他側へ向かう。第１直線部１６６の他側に到達した光は再び全反射されて拡散板１６０の入光面１６１を通じて出光する。即ち、第１直線部１６６に実質的に垂直に入射した光は拡散板１６０を透過することができず、拡散板１６０の下部に出光する。なお、正確には、入射光が反射されて出光する経路が１８０°である場合、第１直線部の一側と他側のなす角度が直角である必要があるが、図５は、説明の便宜ために模式的に示したものであって、例えばＡ−１の経路の場合、正確に垂直に入射して９０°で反射され、更に９０°で反射されて垂直に出光することを示しているわけではなく、入光面から垂直に近く入射した光が直線部で全反射されることを示したものである。以下、後述する図６、１４、１９、２９も同様であり、その反射角度を正確に示したものではない。
【００４７】
Ｂ−１経路の光は、入光面１６１に対して斜めに入射して第１直線部１６６に向かって進む。第１直線部１６６に向かって斜めに入射した光の一部は、第１直線部１６６で一部反射する場合もあるが、大部分の光は第１直線部１６６を透過する。このとき、一般的に拡散板１６０の屈折率が空気の屈折率より大きいため、第１直線部１６６を透過した光は拡散板１６０の上部に向かって屈折する。拡散板１６０と空気の屈折率の差が大きいほど光の屈折角はより大きくなり得る。即ち、拡散板１６０の第１直線部１６６に向かって斜めに入射した光は、第１レンズパターングループ１６３を通過しながら表示パネル（図１の２１参照）に向かって集光することができる。
【００４８】
Ｃ−１経路の光は、入光面１６１を通じて入射し、第１曲線部１６５に向かって進む。第１曲線部１６５に向かって入射した光は第１曲線部１６５を透過する。この場合、第１曲線部１６５が楕円の一端部を成すことによって、光が透過する第１曲線部１６５表面での法線は多様に変化する。これによって、第１曲線部１６５を透過する光の屈折角は多様に変わり得、第１曲線部１６５を通過した光は多様な経路に拡散され得る。また、拡散板１６０の屈折率は空気の屈折率より大きいため第１曲線部１６５を透過した光は拡散板１６０の上部に向かって屈折する。従って、Ｃ−１経路の光のうちの一部は、第１曲線部１６５で反射する場合が生じ得るが、大部分の光は第１曲線部１６５を透過し、入射した光が拡散板１６０を透過すると共に多様な経路に拡散される。また、拡散された光は、拡散板１６０と空気間の屈折率差によって拡散板１６０の上部へ向かうようになり、表示パネル（図１の２１参照）に向かって集光することができる。
【００４９】
次に、図６は、第２レンズパターングループ１６４の入光面１６１を通じて入射した光のＤ−１、Ｅ−１及びＦ−１の経路を示す図である。光のＤ−１、Ｅ−１、及びＦ−１の経路は各々Ａ−１、Ｂ−１及びＣ−１に対応する。従って、光のＤ−１、Ｅ−１、及びＦ−１の経路に対する反復する説明は省略する。但し、上述したように、光源７０と第２レンズパターングループ１６４が形成された区間（Ｐ２）の間の位置によって、第２レンズパターングループ１６４に入射する光は、斜めに入射するＥ−１の経路をＤ−１やＦ−１の経路より相対的に更に多く有し得る。従って、第２レンズパターングループ１６４を通過する光は、第２直線部１６８によって全反射される場合より第２直線部１６８を通過して表示パネル２１方向に集光される場合が更に多くなり得る。図２を参照すると、光源７０と拡散板１６０との間の距離はＤである。ここで、光源７０間のピッチをＰとすると、０．３＜Ｄ／（Ｐ／２）＜０．５の関係が成立する。これによって、必要最低限の光源とバックライトアセンブリの厚さを調節して表示装置を設計することができる。即ち、光源７０間のピッチ（Ｐ）を調節して低消費電力で製品に必要な最低限の輝度を実現すると共に、バックライトアセンブリの厚さに影響を及ぼし得る光源７０と拡散板１６０との間の距離（Ｄ）を調節して表示装置を設計することができる。又はこれとは反対に、光源７０と拡散板１６０との間の距離（Ｄ）を調節し、光源７０間のピッチ（Ｐ）を調節して表示装置を設計することができる。
【００５０】
図７を参照して拡散板１６０の入光面１６１の形状を説明する。
【００５１】
拡散板１６０の背面は入光面１６１になり、入光面１６１は乱屈折面を含み得る。乱屈折面とは、入射した光が一定でない方向に散って屈折する面をいい、不規則な屈曲面や、内部に粒子を含むか又は空隙を含み形成することができる。入光面１６１に乱屈折面を形成すると、拡散板１６０の規則的な形状又はパターンなどによって、表示パネル（図１の２１参照）に生じ得る光の干渉による波模様のようなモアレ（ｍｏｉｒｅ）を防止することができる。このような入光面１６１は必ずしも波模様に限定されず、不規則な凹凸構造形態で多様な実施形態が可能である。このとき、入光面１６１は粗度（ｒｏｕｇｈｎｅｓｓ）が４〜１０μｍで形成され得る。
【００５２】
図１、図２、及び図８を参照して光学シート５０について説明する。
【００５３】
光学シート５０は、拡散板１６０と表示パネル２１との間に介在し、拡散板１６０を通じて提供される光を集光して表示パネル２１に提供する役割を果たす。このような光学シート５０は拡散板１６０に重なる。
【００５４】
光学シート５０は上面にプリズムパターン（図２に示すＳ参照）がある。プリズムパターン（図８の５１参照）は、光源７０と平行である方向に延長された形態で形成される。一方、プリズムパターン５１は光学シート５０に入射した光を拡散して出光させるようにプリズムパターン５１の最上部の隅が円の一端部になるように形成することができる。ここで、仮想の円（Ｃ）は、半径（ｒ）が５〜１０μｍになるように形成し得る。これによって、表示装置の全体的な輝度均一性を確保することができる。
【００５５】
光学シート５０に形成されるプリズムパターン５１の延長方向は拡散板１６０に形成された第１及び第２レンズパターン１６３、１６４の延長方向と同一であり得る。
【００５６】
一方、光学シート５０は拡散板１６０に比べて相対的に顕著に厚さが薄いこともある。即ち、拡散板６０が支持体として充分に役割を果たすことができるため、光学シート５０は柔軟な材質で形成することができる。
【００５７】
拡散板６０の下部には光を発生する光源７０が配置される。光源７０は光を発生して表示パネル２１に光を提供する役割を果たす。このような光源７０は、冷陰極線蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極線蛍光ランプ（Ｈｏｔ  Ｃａｔｈｏｄｅ  Ｆｌｕｏｒｅｓｃｅｎｔ  Ｌａｍｐ：ＨＣＦＬ）などのような線光源が使用され得、発光ダイオード（ｌｉｇｈｔ  ｅｍｉｔｔｉｎｇ  ｄｉｏｄｅ    ＬＥＤ）のような点光源が使用され得るが、これに限定されるものではない。
【００５８】
反射シート８０は、光源７０の下部に位置して光源７０の下部に放出した光を上部に反射して光の効率を高める。このような反射シート８０は、光源７０の下部に配置される底部８１と光源７０の側部に折り曲げられた折曲部８２を含む。底部８１は光源７０の下部に配置されて下部に投射される光の経路を上部に反射し、折曲部８２は底部８１に延長され、下部収納容器９０の側面に沿って折り曲げられて形成される。折曲部８２は、光源７０の側面に配置されて側面に照射した光を反射する役割を果たす。
【００５９】
図１及び図９〜図１４を参照して本発明の第２実施形態を説明する。
【００６０】
説明の便宜上、上記第１実施形態の図面に示す各部材と同一の機能を有する部材は同一の符号で示す。従って、その説明は省略する。
【００６１】
図９は、図１に示す表示装置に含まれる本発明の第２実施形態によるバックライトアセンブリの概略的な断面図である。
【００６２】
図９を参照すると、本発明の第２実施形態によるバックライトアセンブリは、光を放出する複数の光源７０からの光が入射する入光面１６１、入光面１６１の対向面であって光が出射する出光面１６２、及び出光面１６２に順次に反復して形成された第１レンズパターングループ〜第３レンズパターングループ２６３、２６４、２６５を含む拡散板２６０、及び上面にプリズムパターンを含み、拡散板２６０に重なる光学シート５０を含む。
【００６３】
第１レンズパターングループ２６３は光源７０に重なって配置される。また、第２レンズパターングループ及び第３レンズパターングループ２６４、２６５は、互いに異なる形状を有し、第２レンズパターングループ及び第３レンズパターングループ２６４、２６５は、第２レンズパターングループ及び第３レンズパターングループ２６４、２６５の境界部を中心に対称の形状を有する。
【００６４】
第１レンズパターングループ〜第３レンズパターングループ２６３、２６４、２６５は、拡散板２６０の出光面１６２に交互に配置される。第１レンズパターングループ〜第３レンズパターングループ２６３、２６４、２６５の各々は、所定の幅を有する区間で形成される。このとき、第２レンズパターングループ及び第３レンズパターングループ２６４、２６５が形成された区間の幅は、第１レンズパターングループ２６３が形成された区間の幅より小さくすることができる。例えば、各光源間のピッチをＰとすると、第１レンズパターングループ２６３が形成された区間の幅（Ｐ１）は５Ｐ／７で形成され得る。また、第２レンズパターングループ２６４及び第３レンズパターングループ２６５が形成された区間の幅（Ｐ２、Ｐ３）は、各々Ｐ／７で形成され得る。各レンズパターンが形成された区間の幅は、これに限定されず、他の比率の組合せで形成することも可能である。
【００６５】
図１０は、第１レンズパターングループ２６３の断面図である。図９及び図１０を参照して第１レンズパターングループ２６３を説明する。
【００６６】
第１レンズパターングループ２６３は、楕円の一端部から成る。楕円の一端部からなる第１レンズパターングループ２６３は、入光面１６１を通じて入射した光を反射するか又は拡散させる。即ち、第１レンズパターングループ２６３の下部に位置する光源７０から放出された光を効果的に拡散させて表示パネル２１に光を集光する。これによって表示装置の輝度均一性を確保することができる。
【００６７】
図１１は、第２レンズパターングループ２６４の断面図であり、図１２は、第３レンズパターングループ２６５の断面図である。図９、図１１、及び図１２を参照して第２レンズパターングループ２６４及び第３レンズパターングループ２６５を説明する。
【００６８】
第２レンズパターングループ２６４は、隣接した第１レンズパターングループ２６３に向かって傾いたプリズムパターンから成る。第２レンズパターングループ２６４のプリズムパターンの断面は第１斜面２６６と第２斜面２６７を含む。第１斜面２６６と第２斜面２６７は、第１斜面２６６と第２斜面２６７の終端を連結して入光面１６１に平行である仮想の線分と所定の角（θ１、θ２）を成す。この場合、仮想の線分と第１斜面２６６が成す角（θ１）を仮想の線分と第２斜面２６７が成す角（θ２）より大きく形成する。これによって、第１斜面２６６の傾き（ｔａｎθ１）は、第２斜面２６７の傾き（ｔａｎθ２）より大きくなり、第２レンズパターングループ２６４のプリズムパターンは、隣接した第１レンズパターングループ２６３に向かって傾いた形状になる。一方、第３レンズパターングループ２６５のプリズムパターンは、第２レンズパターングループ２６４との境界部を中心に第２レンズパターングループ２６４のプリズムパターンと対称の形状を有するため、第３レンズパターングループ２６５のプリズムパターンもやはり隣接した第１レンズパターングループ２６３に向かって傾いた形状になる。これに対する上述した説明と同一の説明は省略する。
【００６９】
本発明の第２実施形態による拡散板２６０を形成する物質は、上述した第１実施形態の拡散板１６０を形成する物質と実質的に同一であるため、その説明は省略する。
【００７０】
図１３及び図１４は、第１レンズパターングループ及び第２レンズパターングループ２６３、２６４の入光面１６１に入射した光の経路を示す説明図である。
【００７１】
図１３を参照して第１レンズパターングループ２６３に入射した光の経路を説明する。
【００７２】
Ａ−２経路は、第１レンズパターングループ２６３に実質的に垂直に入射した光の経路であり、Ｂ−２経路は、第１レンズパターングループ２６３に斜めに入射した光の経路である。第１レンズパターングループ２６３に入射した光の経路は、第１レンズパターングループ２６３が楕円の一端部からなり、上述した第１実施形態の各レンズパターンの曲線部に入射した光の経路と実質的に同一であるため、その説明は省略する。
【００７３】
図１４を参照して第２レンズパターングループ２６４に入射した光の経路を説明する。
【００７４】
Ｃ−２は、第２レンズパターングループ２６４の入光面１６１を通じて実質的に垂直方向に入射した光の経路である。Ｄ−２及びＥ−２は、第２レンズパターングループ２６４の入光面１６１を通じて斜めに入射した光の経路である。
【００７５】
Ｃ−２経路の光は、第２レンズパターングループ２６４の第１斜面２６６に到達すると共に全反射されて第２斜面２６７に向かい、第２斜面２６７に到達すると共に全反射されて拡散板２６０の下部に出光する。
【００７６】
Ｄ−２及びＥ−２経路の光は、拡散板２６０を大部分透過する。この場合、拡散板２６０の屈折率が空気の屈折率より大きいため、第１斜面２６６及び第２斜面２６７を透過した光は拡散板２６０の上部に向かって屈折する。これによって、拡散板２６０の第１斜面２６６及び第２斜面２６７に向かって斜めに入射した光は、第２レンズパターングループ２６４を通過しながら表示パネル（図１の２１参照）に向かって集光することができる。
【００７７】
一方、第３レンズパターングループ２６５に入射した光の経路は、上述した第２パターンに入射した光の経路と実質的に同一であるため、その説明は省略する。
【００７８】
上述した第１レンズパターングループ〜第３レンズパターングループによって、光源７０から放出された光が均一に拡散されて表示パネル（図１の２１参照）に集光されるため、表示装置の輝度均一性が向上する。
【００７９】
図１及び図１５〜図２０を参照して本発明の第３実施形態について説明する。
【００８０】
説明の便宜上、上記第１実施形態の図面に示す各部材と同一の機能を有する部材は同一の符号で示す。従って、その説明は省略する。
【００８１】
図１５は、図１に示す表示装置に含まれる本発明の第３実施形態によるバックライトアセンブリの概略的な断面図である。
【００８２】
図１５を参照すると、本発明の第３実施形態によるバックライトアセンブリは、光を放出する複数の光源７０からの光が入射する入光面１６１、入光面の対向面であって光が出射する出光面１６２、及び出光面１６２に順次に反復して形成された第１レンズパターングループ〜第３レンズパターングループ３６３、３６４、３６５を含む拡散板３６０、及び上面にプリズムパターンを含み、拡散板３６０に重なる光学シート５０を含む。
【００８３】
第１レンズパターングループ３６３は光源７０に重なって配置される。第１レンズパターングループ〜第３レンズパターングループ３６３、３６４、３６５は、拡散板３６０の出光面１６２に交互に配置される。第１レンズパターングループ〜第３レンズパターングループ３６３、３６４、３６５の各々は、所定の幅を有する区間で形成される。このとき、第２レンズパターングループ及び第３レンズパターングループ３６４、３６５が形成された区間の幅は、第１レンズパターングループ３６３が形成された区間の幅より小さくすることができる。例えば、各光源間のピッチをＰとすると、第１レンズパターングループ３６３が形成された区間の幅（Ｐ１）はＰ／２で形成され得る。また、第２レンズパターングループ３６４及び第３レンズパターングループ３６５が形成された区間の幅（Ｐ２、Ｐ３）は、各々Ｐ／４で形成され得る。各レンズパターンが形成された区間の幅はこれに限定されず、他の比率の組合せで形成することも可能である。
【００８４】
図１６は、第１レンズパターングループ３６３の断面図である。図１５及び図１６を参照して第１レンズパターングループ３６３を説明する。
【００８５】
第１レンズパターングループ３６３はプリズムパターンからなる。第１レンズパターングループ３６３のプリズムパターンの断面は、第１斜面３６６と第２斜面３６７を含む。第１斜面３６６と第２斜面３６７は、第１斜面３６６と第２斜面３６７の終端を連結して入光面１６１に平行である仮想の線分と所定の角（θ１）を成す。このとき、仮想の線分と第１斜面３６６が成す角（θ１）は、仮想の線分と第２斜面３６７が成す角（θ１）と実質的に同一である。従って、第１レンズパターングループ３６３のプリズムパターンの断面は、仮想の二等辺三角形の形状を有する。
【００８６】
一方、図１５及び図１６に示すように、第１レンズパターングループ３６３のプリズムパターンはサイズが順次に変わる。即ち、第１レンズパターングループ３６３に形成された何れか一つのプリズムパターンは、二等辺三角形の形状を有し、隣接した他のプリズムパターンとサイズは異なるが形状は相似である。
【００８７】
次に、第３実施形態による第２レンズパターングループ及び第３レンズパターングループ３６４、３６５の形状などは、上述した第２実施形態による第２レンズパターングループ及び第３レンズパターングループ２６４、２６５と実質的に同一であるため、その説明は省略する。
【００８８】
本発明の第３実施形態による拡散板３６０を形成する物質は、上述した第１実施形態の拡散板１６０を形成する物質と実質的に同一であるため、その説明は省略する。
【００８９】
図１９及び図２０は、第１レンズパターングループ及び第２レンズパターングループ３６３、３６４の入光面１６１に入射した光の経路を示す説明図である。
【００９０】
図１９を参照して、第１レンズパターングループ３６３に入射した光の経路を説明する。
【００９１】
Ａ−３経路は、第１レンズパターングループ３６３に実質的に垂直に入射した光の経路であり、Ｂ−３経路は、第１レンズパターングループ３６３に斜めに入射した光の経路である。
【００９２】
Ａ−３経路の光は、第１レンズパターングループ３６３の第１斜面３６６に到達すると共に全反射されて第２斜面３６７に向かい、第２斜面３６７に到達すると共に全反射されて拡散板３６０の下部に出光する。
【００９３】
Ｂ−３経路の光は拡散板３６０を大部分透過する。このとき、拡散板３６０の屈折率が空気の屈折率より大きいため、第１斜面３６６及び第２斜面３６７を透過した光は拡散板３６０の上部に向かって屈折する。これによって、拡散板２６０の第１斜面３６６及び第２斜面３６７に向かって斜めに入射した光は、第１レンズパターングループ３６３を通過しながら表示パネル（図１の２１参照）に向かって集光することができる。
【００９４】
一方、第２レンズパターングループ及び第３レンズパターングループ３６４、３６５に入射した光の経路は、上述した第２実施形態の第２レンズパターングループ及び第３レンズパターングループ２６４、２６５に入射した光の経路と実質的に同一であるため、その説明は省略する。
【００９５】
上述した第１レンズパターングループ〜第３レンズパターングループ３６３、３６４、３６５によって、光源７０から放出された光が均一に拡散されて表示パネル（図１の２１参照）に集光されるため、表示装置の輝度均一性が向上する。
【００９６】
図１及び図２１〜２５を参照して本発明の第４実施形態について説明する。
【００９７】
説明の便宜上、上記第１実施形態の図面に示す各部材と同一の機能を有する部材は同一の符号で示す。従って、その説明は省略する。
【００９８】
図２１は、図１に示す表示装置に含まれる本発明の第４実施形態によるバックライトアセンブリの概略的な断面図であり、図２２は、第４実施形態による拡散板４６０の一部の斜視図である。
【００９９】
図２１及び図２２を参照すると、本発明の第４実施形態によるバックライトアセンブリは、光を放出する複数の光源７０、光が入射する入光面１６１、入光面１６１の対向面であって光が出射する出光面１６２、及び出光面１６２に形成された曲線部からなるレンズパターン４６３を含む拡散板４６０、及び上面にプリズムパターンを含み、拡散板４６０に重なる光学シート５０を含む。
【０１００】
本発明の第４実施形態による拡散板４６０を形成する物質は、上述した第１実施形態の拡散板１６０を形成する物質と実質的に同一であるため、その説明は省略する。
【０１０１】
図２１〜図２４を参照してレンズパターン４６３を説明する。
【０１０２】
レンズパターン４６３は曲線部からなる。好ましくはレンズパターンの断面は半径（ｒ）である円の一端部を成す。レンズパターン４６３の断面を円の一端部で形成する理由は拡散板４６０に入射した光を効果的に拡散させるためである。レンズパターン４６３は、光源７０の長さ方向に延長され、光源７０と平行である方向に形成され得る。
【０１０３】
一方、レンズパターン４６３の上端部の一定領域（ｗ）には拡散板４６０に入射した光を拡散させる光拡散パターン４６４が形成されている。このような光拡散パターン４６４は凹凸部からなる。凹凸部は、レンズパターン４６３の上端にレーザなどをパルス形態で照射してレンズパターン４６３の上端部の表面を削って形成することができる。図２２に示すように、光拡散パターン４６４はレンズパターン４６３の長さ方向によってレンズパターンの上端に多数の不規則な凹凸部の形態で形成される。レンズパターン４６３の上端部の一定領域（ｗ）は、３０〜５０μｍの幅で形成することが好ましい。
【０１０４】
図２５は、レンズパターン４６３の入光面１６１に入射した光の経路を示す説明図である。
【０１０５】
図２５を参照してレンズパターン４６３に入射した光の経路を説明する。
【０１０６】
Ａ−４経路は、レンズパターン４６３に実質的に垂直に入射した光の経路であり、Ｂ−４経路は、レンズパターン４６３に斜めに入射した光の経路である。
【０１０７】
Ａ−４経路の光は、入光面１６１に実質的に垂直に入射してレンズパターン４６３の上端部の光拡散パターン４６４を通過し、屈折されてレンズパターン４６３を透過する。
【０１０８】
仮に、本発明による第４実施形態とは異なり、レンズパターン４６３に光拡散パターン４６４が形成されていなければ、入光面１６１に垂直に入射した光は、レンズパターン４６３の上端部を透過する場合、屈折されずにそのまま通過し得る。これは次のように説明することができる。即ち、レンズパターン４６３の接平面に垂直な法線が光の経路だとすれば、レンズパターン４６３の上端部の接平面は、実質的に入光面１６１に平行であり、これによって、レンズパターン４６３の上端部の接平面の法線は、入光面１６１にも垂直であるため、入光面１６１に対して垂直に入射した光のうちのレンズパターン４６３の上端部を透過する光は屈折されず、そのままレンズパターン４６４を透過する。従って、光拡散パターン４６４がレンズパターン４６３の上端部に形成されていなければ、表示装置の輝度均一性が低下し得る。従って、第４実施形態のように、レンズパターン４６３の上端部に光拡散パターン４６４を形成すると、表示装置の全体的な輝度均一性が向上する。
【０１０９】
Ｂ−４経路は、レンズパターン４６３に斜めに入射した光の経路である。
【０１１０】
Ｂ−４経路の光は、レンズパターン４６３に斜めに入射してレンズパターン４６４を透過する場合、空気と拡散板４６０との間の屈折率差によって屈折されてレンズパターンを透過する。
【０１１１】
上述したように、第４実施形態によるレンズパターン４６３に入射した光は、レンズパターン４６３を透過する場合に屈折する。これによって、光源７０から放出された光は拡散されて表示パネル（図１の２１参照）に伝達され、表示装置の全体的な輝度均一性が向上する。
【０１１２】
図１及び図２６〜図２９を参照して本発明の第５実施形態を説明する。
【０１１３】
説明の便宜上、上記第１実施形態の図面に示す各部材と同一の機能を有する部材は同一の符号で示す。従って、その説明は省略する。
【０１１４】
図２６は、図１に示す表示装置に含まれる本発明の第５実施形態によるバックライトアセンブリの概略的な断面図であり、図２７は、第５実施形態による拡散板５６０の一部の斜視図である。
【０１１５】
図２６及び図２７を参照すると、本発明の第５実施形態によるバックライトアセンブリは、光を放出する複数の光源７０、光が入射する入光面１６１、入光面１６１の対向面であって光が出射する出光面１６２、及び出光面１６２に形成された曲線部からなるレンズパターン５６３を含む拡散板５６０、及び上面にプリズムパターンを含み、拡散板５６０に重なる光学シート５０を含む。
【０１１６】
本発明の第５実施形態による拡散板５６０を形成する物質は、上述した第１実施形態の拡散板１６０を形成する物質と実質的に同一であるため、その説明は省略する。
【０１１７】
図２６〜図２８を参照してレンズパターン５６３を説明する。
【０１１８】
レンズパターン５６３は曲線部からなる。好ましくはレンズパターンの断面は半径（ｒ）の円の一端部を成す。レンズパターン５６３の断面を円の一端部で形成する理由は、拡散板５６０に入射した光を効果的に拡散させるためである。レンズパターン５６３は光源７０の長さ方向に延長され、光源７０と平行である方向に形成され得る。
【０１１９】
一方、レンズパターン５６３の上端部の一定領域（ｗ）には拡散板５６０に入射した光を拡散させる光拡散パターン５６４が形成されている。このような光拡散パターン５６４はプリズムパターンからなる。
【０１２０】
図２７に示すように、光拡散パターン５６４であるプリズムパターンは、レンズパターン５６３の長さ方向に沿ってレンズパターン５６３の上端に形成される。レンズパターン４６３の上端部の一定領域（ｗ）は、３０〜５０μｍの幅で形成することが好ましい。
【０１２１】
光拡散パターン５６４のプリズムパターンの断面は、第１斜面５６５と第２斜面５６６を含む。第１斜面５６５と第２斜面５６６は、第１斜面５６５と第２斜面５６６の終端を連結して入光面１６１に平行である仮想の線分と所定の角を成す。このとき、仮想の線分と第１斜面５６５が成す角は仮想の線分と第２斜面５６６が成す角と実質的に同一である。従って、光拡散パターン５６４のプリズムパターンの断面は、仮想の二等辺三角形の形状を有する。
【０１２２】
図２９は、レンズパターン５６３の入光面１６１に入射した光の経路を示す説明図である。
【０１２３】
図２９を参照してレンズパターン５６３に入射した光の経路を説明する。
【０１２４】
Ａ−５経路は、レンズパターン５６３に実質的に垂直に入射した光の経路であり、Ｂ−５及びＣ−５経路は、レンズパターン５６３に斜めに入射した光の経路である。
【０１２５】
Ａ−５経路の光は、入光面１６１に実質的に垂直に入射してレンズパターン５６３上端部の光拡散パターン５６４に到達する。このとき、垂直に入射した光は、光拡散パターン５６４の第１斜面５６５に到達すると共に全反射されて第２斜面５６６に向かい、第２斜面５６６に到達すると共に全反射されて拡散板５６０の下部に出光する。
【０１２６】
仮に、本発明による第５実施形態とは異なり、レンズパターン５６３に光拡散パターン５６４が形成されていなければ、入光面１６１に垂直に入射した光は、レンズパターン５６３の上端部を透過する場合、屈折されずにそのまま通過し得る。これは次のように説明することができる。即ち、レンズパターン５６３の接平面に垂直な法線が光の経路だとすると、レンズパターン５６３の上端部の接平面は、実質的に入光面１６１に平行であり、これによって、レンズパターン５６３の上端部の接平面の法線は入光面１６１にも垂直であるため、入光面１６１に対して垂直に入射した光のうちのレンズパターン５６３の上端部を透過する光は屈折されず、そのままレンズパターン５６４を透過する。
【０１２７】
従って、光拡散パターン５６４がレンズパターン５６３の上端部に形成されていなければ、表示装置の輝度均一性が低下し得る。
【０１２８】
従って、第５実施形態のように、レンズパターン５６３の上端部に光拡散パターン５６４を形成すると、レンズパターン５６３の上端部でそのまま透過する光を全反射させて拡散板５６０の下部に出光し、出光した光は反射シート８０で反射されて再び拡散板５６０に再入射し、再入射した光はレンズパターン５６３を透過して表示パネル（図１の２１参照）に集光され得る。ここで、出光した光が拡散板５６０に再入射する場合、光の経路が変更され得、これによって拡散板５６０に再び垂直に入射し得ないため、再入射した光が拡散板５６０の下部に出光することが防止され得る。
【０１２９】
Ｂ−５及びＣ−５経路は、レンズパターン５６３に斜めに入射した光の経路である。
【０１３０】
Ｂ−５及びＣ−５経路の光は、レンズパターン５６３に斜めに入射してレンズパターン５６４を透過する場合、空気と拡散板５６０との間の屈折率差によって屈折されてレンズパターンを透過する。
【０１３１】
上述したように、第５実施形態によるレンズパターン５６３に入射した光はレンズパターン５６３を透過する場合に屈折する。これによって、光源７０から放出された光は拡散されて表示パネル（図１の２１参照）に伝達され、表示装置の全体的な輝度均一性が向上する。上述したように、本発明の第１〜第５実施形態による拡散板（１６０、２６０、３６０、４６０、５６０）と光学シート５０をバックライトアセンブリに適用することによって、光源７０の輝度均一性を大きく向上させることができる。これによって、低消費電力を実現するために光源７０間のピッチを増加させ、表示装置の全体的なスリム化のために光源７０と拡散板（１６０、２６０、３６０、４６０、５６０）との間の距離を減らしても充分な輝度均一性を確保することができる。従って、本発明による拡散板（１６０、２６０、３６０、４６０、５６０）、光源７０、及び表示パネル２１を含む表示装置は、全体的な厚さが顕著に薄くなり、低消費電力を実現することができる。例えば、本発明を適用する場合、５２インチＬＣＤ  ＴＶモジュール（ｍｏｄｕｌｅ）の厚さを２０ｍｍ以下にすることができる。また、光源間のピッチを２８ｍｍに大幅に増やすことによって、必要な光源の数を少なくすることができ、５２インチＬＣＤ  ＴＶモジュール（ｍｏｄｕｌｅ）の消費電力を低減させることができる。
【０１３２】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【０１３３】
１    表示装置
１０    上部収納容器
２０    表示パネルアッセンブリ
２１    表示パネル
２２    下部表示板
２３    上部表示板
５０    光学シート
５１    プリズムパターン
６０    拡散板
７０    光源
８０    反射シート
８１    底部
８２    折曲部
９０    下部収納容器
１６０、２６０、３６０、４６０、５６０    第１〜第５実施形態による拡散板
１６１    入光面
１６２    出光面
１６３、２６３、３６３    第１レンズパターングループ
１６４、２６４、３６４    第２レンズパターングループ
１６５    第１曲線部
１６６    第１直線部
１６７    第２曲線部
１６８    第２直線部
２６５、２６５、３６５    第３レンズパターングループ
２６６、３６６、５６５    第１斜面
２６７、３６７、５６６    第２斜面
４６３、５６３    レンズパターン
４６４、５６４    光拡散パターン
【図１】
2010135328.tif 000003
【図２】
2010135328.tif 000004
【図３】
2010135328.tif 000005
【図４】
2010135328.tif 000006
【図５】
2010135328.tif 000007
【図６】
2010135328.tif 000008
【図７】
2010135328.tif 000009
【図８】
2010135328.tif 000010
【図９】
2010135328.tif 000011
【図１０】
2010135328.tif 000012
【図１１】
2010135328.tif 000013
【図１２】
2010135328.tif 000014
【図１３】
2010135328.tif 000015
【図１４】
2010135328.tif 000016
【図１５】
2010135328.tif 000017
【図１６】
2010135328.tif 000018
【図１７】
2010135328.tif 000019
【図１８】
2010135328.tif 000020
【図１９】
2010135328.tif 000021
【図２０】
2010135328.tif 000022
【図２１】
2010135328.tif 000023
【図２２】
2010135328.tif 000024
【図２３】
2010135328.tif 000025
【図２４】
2010135328.tif 000026
【図２５】
2010135328.tif 000027
【図２６】
2010135328.tif 000028
【図２７】
2010135328.tif 000029
【図２８】
2010135328.tif 000030
【図２９】
2010135328.tif 000031